(57)【要約】【課題】簡単な構成かつ小型化が容易で、座金設置時の操作性に優れた座金設置用具の提供。【解決手段】本発明は、被設置部の所定位置に円環状の座金を設置するための座金設置用具であって、座金が収容可能な略円筒状の内筒６と、内筒６が軸方向に移動可能に内嵌合されて取り付けられた略円筒状の外筒７とを備え、これら内筒６と外筒７との間に、内筒６に収容されている座金を、内筒６の一端側から一枚ずつ取り出し可能とさせる座金取出し機構９が設けられた構成にしてある。【選択図】図１
2013141739.tif 000002
【特許請求の範囲】
【請求項１】
被設置部の所定位置に円環状の座金を設置するための座金設置用具であって、
前記座金が収容可能な略円筒状の内筒部材と、
この内筒部材が軸方向に移動可能に内嵌合されて取り付けられた略円筒状の外筒部材と、を備え、
これら内筒部材と外筒部材との間には、前記内筒部材に収容されている前記座金を、前記内筒部材の一端側から一枚ずつ取り出し可能とさせる座金取出し手段が設けられている
ことを特徴とする座金設置用具。
【請求項２】
請求項１に記載の座金設置用具において、
前記座金取出し手段は、前記内筒部材および外筒部材の相対的な軸方向への移動に応じて、前記内筒部材に収容された前記座金を取り出し可能とさせる
ことを特徴とする座金設置用具。
【請求項３】
請求項１または２に記載の座金設置用具において、
前記内筒部材には、複数の前記座金が軸方向に積層されて収容され、
前記座金取出し手段は、前記内筒部材に収容されている前記座金を一枚ずつ取り出し可能にさせる
ことを特徴とする座金設置用具。
【請求項４】
請求項１〜３のいずれか１項に記載の座金設置用具おいて、
前記内筒部材は、この内筒部材の一端側に設けられた第１座金ストッパおよび第２座金ストッパを有し、
前記外筒部材は、この外筒部材の内周に設けられた第１座金ストッパ溝および第２座金ストッパ溝を有し、
前記第１座金ストッパは、前記外筒部材の内周面にて押圧された状態で、前記内筒部材に収容されている最も前記内筒部材の一端側に位置する座金を保持し、前記第１座金ストッパ溝に嵌合されて前記外筒部材の内周面による押圧が解除され前記座金の保持を解除させ、
前記第２座金ストッパは、前記第１座金ストッパが前記第１座金ストッパ溝に嵌合した状態において前記外筒部材の内周面にて押圧され、前記外筒部材の内周面にて押圧された状態で前記第１座金ストッパにて保持されている座金の他端側に位置する座金を保持し、前記第１座金ストッパが座金を保持している状態で、前記第２座金ストッパ溝に嵌合され、この第２座金ストッパによる座金の保持を解除させる
ことを特徴とする座金設置用具。
【請求項５】
請求項１〜４のいずれか１項に記載の座金設置用具において、
前記第１座金ストッパおよび前記第１座金ストッパ溝と、前記第２座金ストッパおよび前記第２座金ストッパ溝とは、それぞれ対を成して複数設けられ、
これら第１座金ストッパおよび第１座金ストッパ溝の対は、前記内筒部材の周方向に等間隔に離間された位置にそれぞれ設けられ、
前記第２座金ストッパおよび第２座金ストッパ溝の対もまた、前記内筒部材の周方向に等間隔に離間された位置にそれぞれ設けられている
ことを特徴とする座金設置用具。
【発明の詳細な説明】
【技術分野】
【０００１】
本発明は、例えば、被設置部の所定位置に円環状の座金を的確かつ効率的に設置するための座金設置用具に関する。
【背景技術】
【０００２】
図８は一般的な被締結物の締結状態を示す図で、（ａ）図は分解構成断面図、（ｂ）図は締結状態断面図である。従来、被締結物同士を締結する方法としては、図８に示すように、ボルト１とナット２とを用いて一対の被締結物３ａ，３ｂを挟み込んで締結させて固定させている。具体的に、これら各被締結物３ａ，３ｂには、貫通穴３ｃがそれぞれ設けられており、これら各被締結物３ａ，３ｂの各貫通穴３ｃを連通させた状態とし、これら貫通穴３ｃの一方側からボルト１のねじ部１ａを挿入させて他方の貫通穴３ｃから突出させ、この他方の貫通穴３ｃから突出しているねじ部１ａにナット２を取り付けて締め付け固定させている。
【０００３】
この場合に、ボルト１と被締結物３ａとの接触面である座面３ｄの陥没を防止して、締結時の軸力のばらつきを小さくし、ゆるみを低減させる目的から、これらボルト１の頭部１ｂと被締結物３ａとの間に円環状の座金４を介在させている。一般に、この座金４は、被締結物３ａ，３ｂの貫通穴３ｃに挿通させる前の段階でボルト１のねじ部１ａに挿通させて取り付けられている。ところが、この座金４を一枚ずつボルト１のねじ部１ａに挿通させる作業には手間が掛かり煩雑であるとともに、ボルト１のねじ部１ａ側を下向きにする際に、座金４が抜け落下してしまうおそれがあるため、ボルト１の取り付け時に注意しなければならない。
【０００４】
そこで、ボルト１のねじ部１ａ側を下向きにして被締結物３ａ，３ｂに取り付ける場合においては、このボルト１のねじ部１ａに予め座金４を挿通させるのではなく、予め被締結物３ａの座面３ｄに座金を設置しておく。この状態で、ボルト１のねじ部１ａを座金４および被締結物３ａの貫通穴３ｃのそれぞれに挿通させていくことによって、ボルト１取り付け時の座金４の落下を確実に防止することが可能となる。
【０００５】
ところが、この場合には、座金４を一枚ずつ被締結部３ａの貫通穴３ｃに連通させて座面３ｄ上に設置しなければならず、この設置作業を手作業でする場合には、非常に煩雑な作業となる。そこで、この作業を容易にする目的から、複数の座金４を保持し、一枚ずつ供給しながら設置することが可能な従来技術が、特許文献１に開示されている。この特許文献１には、複数枚の座金を保持する座金保持部に隣接して作動ロッドが取り付けられており、この作動ロッドに取り付けられた押えロッドを押圧操作することによって、座金保持部に保持されている座金が一枚ずつ取り出すことができる構成とされている。
【先行技術文献】
【特許文献】
【０００６】
【特許文献１】特開昭６２−４８４６８号公報
【発明の概要】
【発明が解決しようとする課題】
【０００７】
しかしながら、上述した特許文献１に開示された従来技術においては、複数枚の座金を保持する座金保持部に隣接させて作業ロッドが取り付けられている。このため、構成が複雑であるとともに、座金保持部の大きさに作業ロッドの大きさが加わることから、比較的大型化してしまう。また、押圧操作する押えロッドの軸心と、座金保持部に保持されている座金の中心とがずれて偏心しているため、押えロッドを押圧操作する際の力の一部が座金保持部側に流れ捻じれるような力が作用してしまうとともに、座金の中心位置の位置合わせが容易ではなく、座金の設置作業に手間が掛かってしまい操作性に優れていない。
【０００８】
本発明は、上述した従来技術における実状からなされたもので、その目的は、簡単な構成かつ小型化が容易で、座金設置時の操作性に優れた座金設置用具を提供することにある。
【課題を解決するための手段】
【０００９】
この目的を達成するために、本発明は、被設置部の所定位置に円環状の座金を設置するための座金設置用具であって、前記座金が収容可能な略円筒状の内筒部材と、この内筒部材が軸方向に移動可能に内嵌合されて取り付けられた略円筒状の外筒部材と、を備え、これら内筒部材と外筒部材との間には、前記内筒部材に収容されている前記座金を、前記内筒部材の一端側から一枚ずつ取り出し可能とさせる座金取出し手段が設けられていることを特徴としている。
【００１０】
このように構成した本発明は、座金が収容された内筒部材と、この内筒部材が内嵌合された外筒部材との間に座金取出し手段が設けられ、この座金取出し手段によって、内筒部材に収容されている座金を内筒部材の一端側から一枚ずつ取り出すことができる。よって、内筒部材を外筒部材に内嵌合させた簡単な構成であるため、小型化が容易であるとともに、これら内筒部材および外筒部材を軸方向へ移動させる構成であるため、操作性に優れている。
【００１１】
また本発明は、上記発明において、前記座金取出し手段は、前記内筒部材および外筒部材の相対的な軸方向への移動に応じて、前記内筒部材に収容された前記座金を取り出し可能とさせることを特徴としている。
【００１２】
このように構成した本発明は、内筒部材および外筒部材の相対的な軸方向への移動に応じて、内筒部材に収容された座金を座金取出し手段にて取り出すことができる。よって、内筒部材から座金を取り出す作業が容易であるとともに、内筒部材に収容された座金の位置合わせが容易であるから、座金設置時の操作性をより向上させることができる。
【００１３】
また本発明は、上記発明において、前記内筒部材には、複数の前記座金が軸方向に積層されて収容され、前記座金取出し手段は、前記内筒部材に収容されている前記座金を一枚ずつ取り出し可能にさせることを特徴としている。
【００１４】
このように構成した本発明は、軸方向に積層されて内筒部材に収容された数の座金を、座金取出し手段にて一枚ずつ取り出すことができるので、これら座金を座金取出し手段にて取り出す際の使い勝手を向上できるとともに、座金の位置合わせをより容易にできる。
【００１５】
また本発明は、上記発明において、前記内筒部材は、この内筒部材の一端側に設けられた第１座金ストッパおよび第２座金ストッパを有し、前記外筒部材は、この外筒部材の内周に設けられた第１座金ストッパ溝および第２座金ストッパ溝を有し、前記第１座金ストッパは、前記外筒部材の内周面にて押圧された状態で、前記内筒部材に収容されている最も前記内筒部材の一端側に位置する座金を保持し、前記第１座金ストッパ溝に嵌合されて前記外筒部材の内周面による押圧が解除され前記座金の保持を解除させ、前記第２座金ストッパは、前記第１座金ストッパが前記第１座金ストッパ溝に嵌合した状態において前記外筒部材の内周面にて押圧され、前記外筒部材の内周面にて押圧された状態で前記第１座金ストッパにて保持されている座金の他端側に位置する座金を保持し、前記第１座金ストッパが座金を保持している状態で、前記第２座金ストッパ溝に嵌合され、この第２座金ストッパによる座金の保持を解除させることを特徴としている。
【００１６】
このように構成した本発明は、第１座金ストッパが外筒部材の内周面にて押圧された状態においては、内筒部材に収容されている最も内筒部材の一端側に位置する座金が第１座金ストッパにて保持されているとともに、第２座金ストッパが第２座金ストッパ溝に嵌合し、この第２座金ストッパによる座金の保持が解除されている。この状態から、第１座金ストッパを第１座金ストッパ溝に嵌合させることによって外筒部材の内周面による押圧が解除され、この第１座金ストッパによる座金の保持が解除される。また同時に、第２座金ストッパが外筒部材の内周面にて押圧され、第１座金ストッパにて保持されている座金の他端側に位置する座金が第２座金ストッパにて保持される。よって、最も内筒部材の一端側に位置する座金のみが、内筒部材の一端側から取り出すことができる。このため、第１座金ストッパによる第１座金ストッパ溝への嵌合と、第２座金ストッパによる第２座金ストッパ溝への嵌合とにより、内筒部材に収容されている座金を一枚ずつ取り出すことができるので、比較的簡単な構成で、座金設置時の操作性を向上することができる。
【００１７】
また本発明は、上記発明において、前記第１座金ストッパおよび前記第１座金ストッパ溝と、前記第２座金ストッパおよび前記第２座金ストッパ溝とは、それぞれ対を成して複数設けられ、これら第１座金ストッパおよび第１座金ストッパ溝の対は、前記内筒部材の周方向に等間隔に離間された位置にそれぞれ設けられ、前記第２座金ストッパおよび第２座金ストッパ溝の対もまた、前記内筒部材の周方向に等間隔に離間された位置にそれぞれ設けられていることを特徴としている。
【００１８】
このように構成した本発明は、第１座金ストッパおよび第１座金ストッパ溝の対が、内筒部材の周方向に等間隔に離間された位置に設けられ、第２座金ストッパおよび第２座金ストッパ溝の対もまた、内筒部材の周方向に等間隔に離間された位置に設けられている。このため、これら第１座金ストッパおよび第１座金ストッパ溝の対と、第２座金ストッパおよび第２座金ストッパ溝の対とのそれぞれについて、内筒部材の周方向に均等に力が掛かるようになるから、座金設置時の操作性をより向上することができる。
【発明の効果】
【００１９】
本発明は、座金が収容可能な略円筒状の内筒部材と、この内筒部材が軸方向に移動可能に内嵌合されて取り付けられた略円筒状の外筒部材とを備え、これら内筒部材と外筒部材との間に、内筒部材に収容されている座金を内筒部材の一端側から取り出し可能とさせる座金取出し手段が設けられた構成にしてある。この構成により本発明は、内筒部材と外筒部材との間の座金取出し手段により、内筒部材に収容されている座金を、内筒部材の一端側から取り出すことができ、内筒部材を外筒部材に内嵌合させた簡単な構成であるため、小型化が容易にできる。また本発明は、内筒部材および外筒部材を軸方向へ移動させる構成であることから、これら内筒部材および外筒部材と座金とを同心状にできるため、座金設置時の操作性を向上することができる。
【図面の簡単な説明】
【００２０】
【図１】本発明に係る座金設置用具の第１実施形態を示す分解構成図である。
【図２】第１実施形態の内筒を示す図で、（ａ）図は底面図、（ｂ）図は（ａ）図中のＡ−Ａ断面図である。
【図３】第１実施形態の外筒を示す図で、（ａ）図は底面図、（ｂ）図は（ａ）図中のＢ−Ｂ断面図である。
【図４】第１実施形態の座金設置用具の動作を説明する正面図で、（ａ）図は第１座金ストッパにて座金を保持している状態の図、（ｂ）図は第１座金ストッパによる保持が解除され座金が設置された状態を示す図、（ｃ）図は第２座金ストッパによる座金の保持が解除された状態を示す図である。
【図５】第１実施形態の座金設置用具の動作を示す部分断面図で、（ａ）図は第１座金ストッパにて座金を保持している状態を示す図、（ｂ）図は第１および第２座金ストッパにて座金を保持している状態を示す図、（ｃ）図は第１座金ストッパによる保持が解除され座金が設置された状態を示す図、（ｄ）図は第１座金ストッパによる第１座金ストッパ溝への嵌合が解除される状態を示す図、（ｅ）図は第１座金ストッパにて座金を保持した状態を示す図、（ｆ）図は第２座金ストッパによる座金の保持が解除された状態を示す図である。
【図６】本発明に係る座金設置用具の第２実施形態を示す分解構成図である。
【図７】第２実施形態の座金設置用具の第１座金ストッパにて座金を保持している状態を示す部分断面図である。
【図８】一般的な被締結物の締結状態を示す図で、（ａ）図は分解構成断面図、（ｂ）図は締結状態断面図である。
【発明を実施するための形態】
【００２１】
以下、本発明に係る座金設置用具の実施の形態を図に基づいて説明する。
【００２２】
図１は本発明に係る座金設置用具の第１実施形態を示す分解構成図、図２は第１実施形態の内筒を示す図で、（ａ）図は底面図、（ｂ）図は（ａ）図中のＡ−Ａ断面図である。図３は第１実施形態の外筒を示す図で、（ａ）図は底面図、（ｂ）図は（ａ）図中のＢ−Ｂ断面図である。次いで、図４は第１実施形態の座金設置用具の動作を説明する正面図で、（ａ）図は第１座金ストッパにて座金を保持している状態の図、（ｂ）図は第１座金ストッパによる保持が解除され座金が設置された状態を示す図、（ｃ）図は第２座金ストッパによる座金の保持が解除された状態を示す図である。
【００２３】
また、図５は第１実施形態の座金設置用具の動作を示す部分断面図で、（ａ）図は第１座金ストッパにて座金を保持している状態を示す図、（ｂ）図は第１および第２座金ストッパにて座金を保持している状態を示す図、（ｃ）図は第１座金ストッパによる保持が解除され座金が設置された状態を示す図、（ｄ）図は第１座金ストッパによる第１座金ストッパ溝への嵌合が解除される状態を示す図、（ｅ）図は第１座金ストッパにて座金を保持した状態を示す図、（ｆ）図は第２座金ストッパによる座金の保持が解除された状態を示す図である。
【００２４】
本発明に係る座金設置用具の第１実施形態は、例えば油圧ショベル等の作業機械のフレーム等の所定の被設置部Ａに貫通して設けられているねじ穴等の挿通穴Ｂに連通させて、この被設置部Ａ上の所定位置に円環状の座金４を設置させるための座金設置装置である。ここで、この被設置部Ａは、水平な座面Ｃが上側に向けられて設置され、この座面Ｃに対して垂直に挿通穴Ｂが形成されている。
【００２５】
そして、座金設置用具は、有底円筒状の収容部材としての座金収容筒５と、この座金収容筒５が取り付けられる内筒部材としての内筒６と、この内筒６が内嵌合される外筒部材としての外筒７と、これら内筒６と外筒７との間に介在される弾性部材としてのスプリング８とで構成されている。
【００２６】
具体的に、座金収容筒５は、座金４の外径寸法より若干大きな内径寸法を有する円筒状の本体部５ａと、この本体部５ａの軸方向の一端側を閉塞する円盤状の蓋部５ｂとで構成されており、この本体部５ａの外周面の軸方向の他端部に周方向に向かうねじ溝５ｃが形成されている。そして、この座金収容筒５の本体部５ａには、複数枚の座金４が軸方向に積層された状態で収容される構成とされている。さらに、この座金収容筒５は、座金設置用具を使用する際の把持部として機能する。
【００２７】
そして、この座金収容筒５の他端側である下端側に内筒６が取り付けられ、この内筒６の軸方向の一端側である上端側には、内周面に周方向に向かうねじ溝６ａが形成された取付凹部６ｂが形成されている。この取付凹部６ｂには、座金収容筒５の下端側が内嵌合され、互いのねじ溝５ｃ，６ａが螺合されて任意に取り外し可能にねじ止め固定されている。さらに、取付凹部６ｂの他端側には、この取付凹部６ｂの同心状に筒状部６ｃが設けられている。この筒状部６ｃは、座金４の外径寸法より若干大きな内径寸法に形成されており、軸方向に積層された複数の座金４が内部に収容可能となるように構成されている。また、この筒状部６ｃは、座金収容筒５の内径寸法に等しい内径寸法に形成されている。
【００２８】
さらに、内筒６の筒状部６ｃには、第１座金ストッパ６ｄが設けられている。この第１座金ストッパ６ｄは、図２（ａ）に示すように、筒状部６ｃの下端側に、例えば３個ほど設けられており、この筒状部６ｃの周方向に等間隔に離間された位置に設けられている。そして、これら各第１座金ストッパ６ｄの両側部には、内筒６の筒状部６ｃの下端縁から上端側に向けて軸方向に沿って切欠き部６ｅがそれぞれ設けられている。さらに、各第１座金ストッパ６ｄの下端縁の外周側には、筒状部６ｃの径方向に突出した係止凸部６ｆが設けられている。これら係止凸部６ｆは、図２（ｂ）に示すように、座金４の厚さ寸法より若干大きな幅寸法を有する断面略凸弧状に形成されており、筒状部６ｃの厚さ寸法に略等しい大きさに形成されている。
【００２９】
さらに、各第１座金ストッパ６ｄの係止凸部６ｆと相対する内周側には、下端縁が筒状部６ｃの中心軸方向に向けて円弧状に突出した形状の係止片部６ｇがそれぞれ設けられている。ここで、これら係止片部６ｇは、内筒６の筒状部６ｃ内に収容される座金４の下端縁を保持するためのリブ状部である。さらに、係止片部６ｇは、筒状部６ｃの内周面の上端縁と係止片部６ｇとの間の内周面が断面視略凹状とされて薄肉部６ｈが形成され、これら係止片部６ｇを含む第１座金ストッパ６ｄが径方向に弾性変形可能となるように構成されている。
【００３０】
そして、これら各第１座金ストッパ６ｄの間には、第２座金ストッパ６ｉがそれぞれ設けられている。これら第２座金ストッパ６ｉもまた、筒状部６ｃの軸方向の下端側に設けられており、図２（ａ）に示すように、例えば３個ほど設けられている。そして、これら第２座金ストッパ６ｉもまた、筒状部６ｃの周方向に等間隔に離間された位置に設けられている。さらに、これら各第２座金ストッパ６ｉは、座金収容筒５に収容させる座金４の厚さ寸法ほど、第１座金ストッパ６ｄより短い長さ寸法に形成されている。すなわち、これら第２座金ストッパ６ｉは、筒状部６ｃの下端縁よりも、座金４の厚さの１〜１．５倍ほど短い長さ寸法に形成されている。
【００３１】
さらに、これら各第２座金ストッパ６ｉの両側部にもまた、筒状部６ｃの下端側から上端側に向かう切欠き部６ｊがそれぞれ設けられている。そして、これら各第２座金ストッパ６ｉの下端縁の外周側には、筒状部６ｃの径方向に突出した嵌合凸部６ｋが設けられている。これら嵌合凸部６ｋの上端側には、図２（ｂ）に示すように、筒状部６ｃの外周面に対して直交する垂直面状の係止面部６ｍが形成されている。一方、各嵌合凸部６ｋの下端側は、円弧状に湾曲した形状に形成されている。さらに、これら嵌合凸部６ｋに相対する第２座金ストッパ６ｉの内周側には、筒状部６ｃの中心軸方向に突出する突出片部６ｎが設けられている。これら突出片部６ｎは、上端側が凹弧状に形成されているとともに、先端部が垂直面状に形成されている。ここで、これら突出片部６ｎの先端部は、図２（ｂ）に示すように、第２座金ストッパ６ｉを弾性変形させない状態で、内筒６の筒状部６ｃの内周面と面一に形成されている。さらに、これら突出片部６ｎは、筒状部６ｃの内周面の上端縁と突出片部６ｎとの間の内周面が断面視略凹状とされて薄肉部６ｐが形成され、これら突出片部６ｎを含む第２座金ストッパ６ｉが径方向に弾性変形可能となるように構成されている。
【００３２】
次いで、外筒７は、内筒６の筒状部６ｃの外径寸法より若干大きな内径寸法を有する略円筒状の本体部７ａを有しており、この本体部７ａには、図１および図２に示すように、この本体部７ａの上端側から内筒６の筒状部６ｃの下端側が内嵌合されて軸方向に移動可能、すなわち相対的に摺動可能に取り付けられている。具体的に、この外筒７の本体部７ａの内周面には、この本体部７ａを内筒６の筒状部６ｃに嵌合させた状態で、この筒状部６ｃの第１座金ストッパ６ｄに係合可能な第１座金ストッパ溝７ｂが設けられている。
【００３３】
この第１座金ストッパ溝７ｂは、第１座金ストッパ６ｄに対応させて、例えば３個ほど設けられており、これら第１座金ストッパ溝７ｂは、本体部５ａの周方向に等間隔に離間された位置に設けられている。さらに、これら第１座金ストッパ溝７ｂは、図３（ｂ）に示すように、外筒７の本体部７ａの内周面の下端縁をテーパ状に拡開させた傾斜面状に形成されている。また、これら第１座金ストッパ溝７ｂは、第１座金ストッパ６ｄの係止凸部６ｆが係合した際に、内筒６の筒状部６ｃの薄肉部６ｈの弾性変形が解消される程度の大きさおよび傾斜角度に形成されている。
【００３４】
そして、外筒７の本体部７ａの各第１座金ストッパ溝７ｂの間には、第２座金ストッパ溝７ｃが形成されている。これら第２座金ストッパ溝７ｃは、第２座金ストッパ６ｉに対応させて、例えば３個ほど設けられており、これら第２座金ストッパ溝７ｃもまた、本体部７ａの周方向に等間隔に離間させた位置に設けられている。さらに、これら第２座金ストッパ溝７ｃは、図３（ｂ）に示すように、第２座金ストッパ６ｉの嵌合凸部６ｋが嵌合可能な嵌合凹部７ｄを備えている。この嵌合凹部７ｄは、第２座金ストッパ６ｉの嵌合凸部６ｋに対応した形状に形成されており、この嵌合凹部７ｄの上端側の縁部が垂直面状に形成されて抜け止め部としての係止面部７ｅが設けられている。また、この嵌合凹部７ｄは、外筒７の本体部７ａの軸方向のほぼ中間に位置し、この本体部７ａの内周面に設けられている第１座金ストッパ溝７ｂより本体部７ａの上端側の位置に設けられている。さらに、本体部７ａの内周面のうちの嵌合凹部７ｄより下端側には、この嵌合凹部７ｄから本体部７ａの下端縁までに亘って面取りされた断面凹状の摺動面部７ｆが設けられている。これら摺動面部７ｆは、図３（ａ）に示すように、嵌合凹部７ｄの幅寸法に等しい幅寸法に形成されており、本体部７ａの軸方向に沿った形状に形成されている。
【００３５】
さらに、スプリング８は、内筒６の筒状部６ｃの外径寸法より若干大きな内径寸法を有するとともに、この内筒６の取付凹部６ｂおよび外筒７の本体部７ａそれぞれの外径寸法より若干小さな外径寸法を有するコイルスプリングである。そして、このスプリング８は、図４に示すように、内筒６の下端側から、この内筒６の筒状部６ｃに外嵌合された状態で、この筒状部６ｃの下端側を外筒７の本体部７ａの上端側に嵌合させて取り付けられている。すなわち、このスプリング８は、内筒６の第１座金ストッパ６ｄの係止凸部６ｆによる外筒７の第１座金ストッパ溝７ｂへの嵌合によって、これら内筒６と外筒７との間に抜け止め保持されて取り付けられており、これら内筒６および外筒７を相対する方向に付勢している。
【００３６】
ここで、上述した第１座金ストッパ６ｄ、第２座金ストッパ６ｉ、第１座金ストッパ溝７ｂ、第２座金ストッパ溝７ｃおよびスプリング８によって、座金収容筒５、すなわち内筒６に収容されている座金４を、この内筒３の下端側から一枚ずつ取り出し可能とさせる座金取出し手段としての座金取出し機構９が構成されている。すなわち、この座金取出し機構９は、内筒６と外筒７との相対的な軸方向への移動に応じて、この内筒６に収容されている座金４を、この内筒６の下端側から取り出し可能とさせる。
【００３７】
具体的に、この座金取出し機構９は、第１座金ストッパ６ｄの係止凸部６ｆが外筒７の本体部７ａの内周面に押圧されて弾性変形した状態で、内筒６に収容されている最も下端側の座金４の下端縁を係止片部６ｇにて保持するように構成されている。さらに、スプリング８の弾性力に抗して内筒６を外筒７に押し込み移動させ、第１座金ストッパ６ｄの係止凸部６ｆを第１座金ストッパ溝７ｂに嵌合させる。すると、この係止凸部６ｆの外筒７の本体部７ａの内周面による押圧がなくなり弾性変形が解除され、係止片部６ｇにて保持されていた最も下端側の座金４の保持が解除されて内筒６の下端側から取り出し可能となる。このとき、第２座金ストッパ６ｉの嵌合凸部６ｋによる外筒７の第２座金ストッパ溝７ｃの嵌合凹部７ｄへの嵌合が解除されることにより、この第２座金ストッパ６ｉの嵌合凸部６ｋが外筒７の本体部７ａの内周面に押圧されて弾性変形する。よって、第１座金ストッパ６ｄにて保持されていた最も下端側の座金４の上端側に位置する次の座金４の側面が第２座金ストッパ６ｉの突出片部６ｎにて押圧されて保持され、この内筒６の下端側から座金４が一枚ずつ取り出し可能となる。
【００３８】
このように構成した本実施形態は、まず、座金設置用具の内筒６に対して座金収容筒５を周方向に回転させて、これら座金収容筒５のねじ溝５ｃと内筒６のねじ溝６ａとの螺合を外し、この座金収容筒５を内筒６から取り外す。次いで、この座金収容筒５の本体部５ａ内に複数の座金４を積層させながら収容させた後、この座金収容筒５のねじ溝５ｃを内筒６のねじ溝６ａに螺合させて、この座金収容筒５を内筒６の上端側に取り付ける。
【００３９】
この後、図４（ａ）および図５（ａ）に示すように、座金設置用具の外筒７の下端側を下側に向け、座面Ｃが上側に向けられた被設置部Ａの挿通穴Ｂと同心状になるように外筒７を位置させた状態で、この外筒７の下端側を被設置部Ａの座面Ｃ上に載置させた初期状態とする。このとき、内筒６の第１座金ストッパ６ｄの係止凸部６ｆが、外筒７の第１座金ストッパ溝７ｂより上側に位置する本体部７ａの内周面にて押圧され、この第１座金ストッパ６ｄの係止片部６ｇが内筒６の内周側に突出した状態となっている。
【００４０】
この状態で、内筒６の第２座金ストッパ６ｉは、この第２座金ストッパ６ｉの嵌合凸部６ｋが外筒７の第２座金ストッパ溝７ｃの嵌合凹部７ｄに嵌合しており、この第２座金ストッパ６ｉが外筒７の本体部７ａの内周面に押圧されず弾性変形していない状態となる。また、内筒６内に収容されている複数の座金４は、最も下端側に位置する座金４の下端縁が第１座金ストッパ６ｄの係止片部６ｇにて支持されて抜け止め保持されているため、この内筒６内から落下することはない。
【００４１】
このとき、スプリング８の弾性力による外筒７の下端側への付勢は、第２座金ストッパ６ｉの外側に位置する嵌合凸部６ｋが外筒７の第２座金ストッパ溝７ｃの嵌合凹部７ｄに嵌合していることによって、外筒７が抜け止め保持されている。
【００４２】
次いで、上記初期状態から、図５（ｂ）に示す第１段階まで内筒６を外筒７に押し込み動作させる。すると、この内筒６の第２座金ストッパ６ｉが、外筒７の第２座金ストッパ溝７ｃの嵌合凹部７ｄから外れ、この外筒７の本体部７ａの内周面にて押圧され内周側に弾性変形した状態となり、この第２座金ストッパ６ｉの外側の突出片部６ｎによって、下端側から２番目の座金４の側面が中心軸方向に押圧されて抜け止め保持される。
【００４３】
さらに、上記第１段階から、図４（ｂ）および図５（ｃ）に示す第２段階まで内筒６を外筒７に押し込み動作させると、この内筒６の第１座金ストッパ６ｄが外筒７の第１座金ストッパ溝７ｂに嵌合することによって、外筒７の本体部７ａの内周面による押圧が解除され、第１座金ストッパ６ｄの弾性変形がなくなる。この結果、第１座金ストッパ６ｄの係止片部６ｇによる最も下端側の座金４の保持が解除されるため、この座金４が内筒６の下端側から落下し、挿通穴Ｂに連通した状態で被設置部Ａ上の所定位置に設置される。
【００４４】
このとき、下端側から２番目の座金４は、第２の座金ストッパ６ｉの突出片部６ｎによって中心軸方向に押圧されて保持されているため、内筒６の下端側から落下せず、第１座金ストッパ６ｄの係止片部６ｇにて保持されていた最も下端側の１枚の座金４のみが内筒６から落下して取り出される。
【００４５】
次いで、上記第２段階から上記第１段階まで内筒６を復帰動作させると、図５（ｄ）に示すように、この内筒６の第１座金ストッパ６ｄの係止凸部６ｆによる外筒７の第１座金ストッパ溝７ｂへの嵌合が解除されて、この第１座金ストッパ６ｄの係止凸部６ｆが外筒７の本体部７ａの内周面に押圧されて弾性変形した状態となる。この結果、第１座金ストッパ６ｄの係止片部６ｆが再び内周側へ突出した状態となる。
【００４６】
さらに、この状態から上記初期状態まで内筒６を復帰動作させる。すると、図５（ｅ）に示すように、この内筒６の第２座金ストッパ６ｉの嵌合凸部６ｋが外筒７の第２座金ストッパ溝７ｃの嵌合凹部７ｄに嵌合し、第２座金ストッパ６ｉの突出片部６ｎによる座金４の押圧保持が解除されるものの、この座金４の下端縁が第１座金ストッパ６ｄの係止片部６ｇにて保持されて抜け止めされた状態となる。
【００４７】
また、図５（ｅ）に示す状態から、図４（ｃ）および図５（ｆ）に示すように、被設置部Ａの座面Ｃ上から座金設置用具を上方に移動させると、この被設置部Ａの座面Ｃ上の所定位置に一枚の座金４のみが設置された状態となる。
【００４８】
本実施形態に係る座金設置用具によれば、図５（ａ）に示す状態から図５（ｆ）に示す状態に動作させ、第１座金ストッパ６ｄによる第１座金ストッパ溝７ｂへの嵌合と、第２座金ストッパ６ｉによる第２座金ストッパ溝７ｃへの嵌合とを繰り返すことにより、座金収容筒５内の座金４を、所望する被設置部Ａの座面Ｃ上の所定位置に一枚ずつ設置できる。すなわち、座金設置用具の座金収容筒５内に複数の座金４を予め収容させておき、この座金設置用具を用いて所望する被設置部Ａに座金４を一枚ずつ設置していくことにより、座金４を手作業で被設置部Ａの所定位置に一枚ずつ設置する煩雑さを無くすことができ、これら座金４の設置時間を大幅に短縮できる。
【００４９】
また、上端側に座金収容筒５が取り付けられた内筒６を、スプリング８を介在させて外筒７に内嵌合させた比較的簡単な構成であり、これら座金収容筒５、内筒６、外筒７およびスプリング８を軸方向に同心状に連結させた構造としたことにより、これら各構成の径方向への大きさを最小限にできるため、座金設置用具の小型化を容易にできる。
【００５０】
さらに、内筒６を外筒７に対して軸方向に押し込み動作させることにより、この外筒７の下端側から座金４を一枚ずつ取り出すことができるため、座金収容筒５内に収容されている座金４を一枚ずつ取り出す作業を容易にでき、これら座金４を一枚ずつ取り出す際の使い勝手を向上できる。また同時に、被設置部Ａに対する外筒７の設置位置を調整することによって座金４の設置位置を調整できるため、座金４の位置合わせが容易にでき、座金４設置時の操作性および作業性を大幅に向上できる。
【００５１】
また、第１座金ストッパ６ｄと第１座金ストッパ溝７ｂとの対が、内筒６および外筒７の周方向に等間隔に離間された位置に設けられているとともに、第２座金ストッパ６ｉと第２座金ストッパ溝７ｃとの対もまた、内筒６および外筒７の周方向に等間隔に離間された位置に設けられている。このため、これら第１座金ストッパ６ｄおよび第１座金ストッパ溝７ｂの対と、第２座金ストッパ６ｉおよび第２座金ストッパ溝７ｃの対とのそれぞれにおいて、内筒６および外筒７の周方向に均等に力が掛かるようにできる。よって、軸方向に沿って内筒６を外筒７に押し込み動作させる際に、これら内筒６および外筒７のそれぞれに対し径方向への分力の発生が生じにくいため、座金４設置時の操作性をより向上することができる。
【００５２】
＜第２実施形態＞
図６は本発明に係る座金設置用具の第２実施形態を示す分解構成図であり、図７は本第２実施形態の座金設置用具の第１座金ストッパにて座金を保持している状態を示す部分断面図である。そして、これら図６および図７に示す第２実施形態に係る座金設置用具の基本構成は第１実施形態と同等である。この第２実施形態は、第１実施形態の構成に加えて、座金収容筒５の本体部５ａ内に、細長円柱状の軸材５ｄが取り付けられている。
【００５３】
具体的に、この軸材５ｄは、図６に示すように、この軸材５ｄの軸方向の一端部が座金収容筒５の蓋部５ｂの内側面の中心位置に接続され、この座金収容筒５の本体部５ａの同心状に取り付けられている。さらに、軸材５ｄは、座金４の中心位置に貫通して開口されている貫通穴４ａの内径寸法より若干小さな外径寸法に形成されており、これら座金４の貫通穴４ａに軸材５ｄを挿通させた状態で、これら座金４を座金収容筒５の本体部５ａ内に軸方向に積層させて収容できるように構成されている。
【００５４】
また、軸材５ｄは、図７に示すように、座金収容筒５が取り付けられた内筒６の第２座金ストッパ６ｉの嵌合凸部６ｋが外筒７の第２座金ストッパ溝７ｃの嵌合凹部７ｄに嵌合した初期状態で、外筒７の下端面より下方へ突出する程度の長さ寸法に形成されている。さらに、この軸材５ｄは、図７に示すように、この軸材５ｄの下端部を被設置部Ａの挿通穴Ｂに嵌合させつつ、外筒７の下端側を被設置部Ａ上に接触させた状態で、この外筒７を径方向にずらして移動させることができない程度の長さ寸法に形成されている。
【００５５】
このように構成した第２実施形態は、座金設置用具の内筒６から座金収容筒５を取り外した状態で、この座金収容筒５の軸材５ｄに座金４の貫通穴４ａを挿通させつつ、複数の座金４を座金収容筒５の本体部５ａ内に順次収容させていくことにより、これら座金４を座金収容筒５の本体部５ａ内に軸方向に積層させて収容させることができる。
【００５６】
また、複数の座金４を収容させた座金収容筒５を内筒６に取り付け、この座金収容筒５の軸材５ｄの先端部を外筒７の下端側から突出させた状態で、図７に示すように、この軸材５ｄの先端部を被設置部Ａの挿通穴Ｂに嵌合させてから、内筒６を外筒６に押し込み動作させる。この結果、座金収容筒５に収容させた複数の座金４のうちの最も下端側に位置する一枚の座金４が、この座金４の貫通穴４ａに軸材５ｄが挿通された状態のまま、外筒７の下端側から取り出される。
【００５７】
したがって、被設置部Ａの挿通穴Ｂに対する座金４の貫通穴４ａの位置合わせが容易にでき、これら挿通穴Ｂと貫通穴４ａとを連通させた座金４の設置作業を容易にできるため、座金４設置時の作業性をより大幅に向上することができる。
【００５８】
この場合に、座金収容筒５の軸材５ｄの外径寸法を、被設置部Ａの挿通穴Ｂの内径寸法に適合させ、この挿通穴Ｂの内径寸法より若干小さな外径寸法とすることにより、この被設置部Ａの挿通穴Ｂの同心状に貫通穴４ａを連通させて座金４を設置できるので、これら座金４の設置作業をより的確に行うことができる。
【００５９】
＜その他＞
なお、上記各実施形態においては、座金収容筒５および内筒６にねじ溝５ｃ，６ａを設け、これらねじ溝５ｃ，６ａを螺合させて座金収容筒５と内筒６とを接続させたが、これら座金収容筒５と内筒６との接続については、切欠きを用いた接続定や、摩擦結合、接着等のいずれの方法であっても良い。
【００６０】
また、座金４を設置する被設置部Ａとして、油圧ショベル等の作業機械のフレームについて説明したが、水平な座面Ｃを上側にした状態で、この座面Ｃの挿通穴Ｂ上に座金４を設置する被設置部Ａであれば、油圧ショベルの走行体にローラを取り付ける箇所や、手摺りを取り付ける部分等の、いずれの機械や装置等の組み立て時に用いることもできる。特に、複数の座金４を同一の被設置部Ａの座面Ｃ上に設置する必要のある作業工程で、座金設置用具を用いることにより、座金４の設置作業をより確実かつ短時間に行うことができる
さらに、座金設置用具の座金収容筒５を内筒６から取り外し、この座金収容筒５に複数の座金４を再度収容させたが、複数の座金４を積層させた一束の座金群（図示せず）を予め用意しておき、この座金群を座金収容筒５に収容させ、この座金収容筒５への座金４のセットを簡略化することもできる。この場合に、複数の座金４を収容させた座金収容筒５を予め複数用意しておき、これら複数の座金４が収容された座金収容筒４を交換するようにして、座金設置用具への座金４のセットを容易にし、使い勝手を向上させることもできる。
【符号の説明】
【００６１】
１    ボルト
１ａ  ねじ部
１ｂ  頭部
２    ナット
３ａ，３ｂ    被締結物
３ｃ  貫通穴
４    座金
４ａ  貫通穴
５    座金収容筒
５ａ  本体部
５ｂ  蓋部
５ｃ  ねじ溝
５ｄ  軸材
６    内筒
６ａ  ねじ溝
６ｂ  取付凹部
６ｃ  筒状部
６ｄ  第１座金ストッパ
６ｅ  切欠き部
６ｆ  係止凸部
６ｇ  係止片部
６ｈ  薄肉部
６ｉ  第２座金ストッパ
６ｊ  切欠き部
６ｋ  嵌合凸部
６ｍ  係止面部
６ｎ  突出片部
６ｐ  薄肉部
７    外筒
７ａ  本体部
７ｂ  第１座金ストッパ溝
７ｃ  第２座金ストッパ溝
７ｄ  嵌合凹部
７ｅ  係止面部
７ｆ  摺動面部
８  スプリング
９  座金取出し機構
Ａ    被設置部
Ｂ    挿通穴
Ｃ    座面
【図１】
2013141739.tif 000003
【図２】
2013141739.tif 000004
【図３】
2013141739.tif 000005
【図４】
2013141739.tif 000006
【図５】
2013141739.tif 000007
【図６】
2013141739.tif 000008
【図７】
2013141739.tif 000009
【図８】
2013141739.tif 000010